Podtech/llm-jp-corpus-v4-ja_patent huggingface dataset:
(57)【要約】      （修正有）【課題】吸水吸油することができ、工場の床面又は生産設備の底面に敷設することにより、生産設備から漏れた水またはオイルを吸収することができ、且つ水またはオイルを吸収しても変形しない工業用吸水吸油パッドを提供する。【解決手段】吸水吸油可能な吸収層１１と、ポリプロピレンをラミネート加工して形成される底層１２と、を結合して構成され、吸収層の単位重量は１５０〜４５０ｇ／ｍ２であり、底層の単位重量は７５〜４００ｇ／ｍ２であり、吸収層と底層とは、８０％のポリプロピレンと２０％の防炎材料とを混合して構成される素材で製作する。【選択図】図１
0003156022.tif 000002
【実用新案登録請求の範囲】
【請求項１】
吸水吸油可能な吸収層と、ポリプロピレンをラミネート加工して形成される底層と、を結合して構成されることを特徴とする工業用吸水吸油パッド。
【請求項２】
吸水吸油可能な前記吸収層の単位重量は１５０〜４５０g/m2であり、前記底層の単位重量は７５〜４００g/m2であることを特徴とする、請求項１に記載の工業用吸水吸油パッド。
【請求項３】
前記吸収層と前記底層とは、８０％のポリプロピレンと２０％の防炎材料とを混合して構成される素材で作製されたものであることを特徴とする、請求項１に記載の工業用吸水吸油パッド。
【考案の詳細な説明】
【技術分野】
【０００１】
本考案は、工業用吸水吸油パッドに関し、特に、吸水吸油することができ、工場の床面又は生産設備の底面に敷設することにより、生産設備から漏れた水またはオイルを吸収することができ、且つ水またはオイルを吸収しても変形しない工業用吸水吸油パッドに関するものである。
【背景技術】
【０００２】
従来、工事や生産加工を実施しているときに漏れた水またはオイルを吸収するために、工場または工事現場では、工場の床面または生産設備の底面に絨毯を敷設することが一般である。このような絨毯は、ポリエチレン製のものが多く、工場の床面または生産設備の底面に敷設されることにより、工事や生産加工を実施しているときに漏れた水またはオイルを吸収することができる。
【考案の概要】
【考案が解決しようとする課題】
【０００３】
しかしながら、ポリエチレン製の絨毯によれば、工事や生産加工を実施しているときに漏れた水またはオイルを吸収することができるが、ポリエチレン製の絨毯は、水またはオイルを吸収すると、膨らんだり、延長したりすることがあり、そうすると、床面に緊密に貼り付けることができなくなる。水またはオイルを吸収して膨らんだポリエチレン製の絨毯に、走行している作業者の足が当ると、作業者は倒れる危険性がある。
【課題を解決するための手段】
【０００４】
本考案の請求項１に記載の工業用吸水吸油パッドによると、吸水吸油可能な吸収層と、ポリプロピレンをラミネート加工して形成される底層と、を結合して構成されることを特徴とする工業用吸水吸油パッドである。
【０００５】
本考案の請求項２に記載の工業用吸水吸油パッドによると、吸水吸油可能な前記吸収層の単位重量は１５０〜４５０g/m2であり、前記底層の単位重量は７５〜４００g/m2である。
【０００６】
本考案の請求項３に記載の工業用吸水吸油パッドによると、前記吸収層と前記底層とは、８０％のポリプロピレンと２０％の防炎材料とを混合して構成される素材で作製されたものである。
【考案の効果】
【０００７】
本考案の工業用吸水吸油パッドによれば、吸水吸油することができ、工場の床面又は生産設備の底面に敷設することにより、生産設備から漏れた水またはオイルを吸収することができ、且つ水またはオイルを吸収しても変形や破裂が発生しないという効果を有する。  
【図面の簡単な説明】
【０００８】
【図１】本考案の一実施形態の工業用吸水吸油パッドの構造を示す分解斜視図である。
【図２】本考案の一実施形態の工業用吸水吸油パッドの組合状態の断面図である。
【図３】本考案の一実施形態の工業用吸水吸油パッドの作製方法を示すフローチャートである。
【考案を実施するための形態】
【０００９】
以下、本考案の実施の形態を図面に基づいて説明する。
まず、図１及び図２を参照する。図１は本考案の一実施形態の工業用吸水吸油パッドの構造を示す分解斜視図であり、図２は本考案の一実施形態の工業用吸水吸油パッドの組合状態の断面図である。本考案の一実施形態の工業用吸水吸油パッド１は、吸水吸油可能な吸収層１１と、ポリプロピレンをラミネート加工して形成される底層１２と、を結合して構成される。
【００１０】
図３を参照する。図３は本考案の一実施形態の工業用吸水吸油パッドの作製方法を示すフローチャートである。前記工業用吸水吸油パッド１の作製方法は、まず、単位重量が１５０〜４５０g/m2でありポリプロピレン製の繊維を舗装して、ポリプロピレン製の繊維で上記繊維を縫って不織布を形成して、紫外線電灯または火炎によって焼結すると、吸水吸油可能な吸収層１１が作製された。前記吸収層１１の耐摩耗性および滑止性を向上するために、前記吸収層１１の下面には、ポリプロピレンをラミネート加工して形成される底層１２が結合される。前記底層１２の凝固を加速するために、冷凍機により前記底層１２を冷凍してもよい。
【００１１】
また、前記吸収層と前記底層とは、１００％のポリプロピレンで作製されたものでもいいし、８０％のポリプロピレンと２０％の防炎材料とを混合して構成される素材で作製されたものでもよい。後者の素材を採用することにより、工業用吸水吸油パッドの防炎効果を向上することができる。
【００１２】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００１３】
本考案は、吸水吸油パッドに適用することができ、工業の用途に限定されることはない。
【符号の説明】
【００１４】
１：吸水吸油パッド
１１：吸収層
１２：底層
【図１】
0003156022.tif 000003
【図２】
0003156022.tif 000004
【図３】
0003156022.tif 000005
(57)【要約】      （修正有）【課題】スリップを防止し、安全に走行できるタイヤを提供する。【解決手段】左右側辺２と中央部分３，４に籾殻を混入したゴム部分を形成する。【選択図】図１
0003156098.tif 000002
【実用新案登録請求の範囲】
【請求項１】
タイヤゴム部分の左右側辺（２）と中央部分（３）（４）に前記左右の側辺（２）部分に連接するように籾殻を入れたゴムタイヤを設けたノースリップタイヤ。
【考案の詳細な説明】
【技術分野】雪道・雨・路面が凍結などで悪条件の中で安全にスリップがなく、走行出来るタイヤ。
【背景技術】現在、タイヤメーカー各社において、悪路（凍結・圧雪等）でのスリップの少ないタイヤを開発されているが、それ以上にまさるグレードアップした籾殻を利用したタイヤが効果的である。
0003156098.tif 000003
【考案の開示】
【考案の解決しょうとする課題】
とうとい人命・財産を守るために取り組んだノースリップタイヤを提供する
【課題を解決するための手段】
籾殻はコストが安い上に軽い、タイヤに弾力性を与えコーナーリング及び路面をいためずに安全走行が可能
【考案の効果】
ノースリップタイヤは籾殻と相性をもたせ路面のスリップ時に非常に短い距離で停止できる。
【実施の例】
冬型タイヤに籾殻を定着するので図に示すようにタイヤ表面（１）の左右の側面部（２）との表面中央（１）に左右側面の（２）に渡って横方向の中央部（３）（４）に籾殻を混入したゴム部分を形成する
【図面の簡単な説明】
【図１】タイヤの正面図
【符号の説明】１、縦ゴムタイヤの部分
２、タイヤの側面に設けた籾殻は配列部
３、タイヤ横方向に設けた籾殻配合部である
このノースリップタイヤは図示のようにタイヤ側面と横方向に籾殻配合部分を設け横方向と直線方向のスリップを防止する
４、籾殻をＨ型に配列した正面図である。
【図１】
0003156098.tif 000004
(57)【要約】      （修正有）【課題】印影を捺印するだけでなく、印影以外の部分を利用し、新たに機能を持たせ、さらに脱着式にすることにより、複数の機能を選択できるようになり、また、印影部分を交換することもできるので、自分スタイルを主張できる価値ある印鑑を提供する。【解決手段】脱着式印鑑は、印鑑部１及び印影２を基本部分とし、ねじ込み部４を使いＵＳＢメモリー本体３及びキャップ５を印影部１にねじ込むことにより一体化して形成する。さらに、ＵＳＢ本体部分は、ＬＥＤライト、フレグランス入れや砂時計など、他の機能を持つもとを別途製作し、適宜、交換可能に構成しても良い。【選択図】図１
0003156091.tif 000002
【実用新案登録請求の範囲】
【請求項１】
印鑑部分とＵＳＢを付加価値部分とし、ねじ込み式により接合させることを特徴とする脱着式印鑑。
【請求項２】
印鑑部分とＬＥＤライトを付加価値部分とし、ねじ込み式により接合させることを特徴とする脱着式印鑑。
【請求項３】
印鑑部分とフレグランス入れを付加価値部分とし、ねじ込み式により接合させることを特徴とする脱着式印鑑。
【請求項４】
印鑑部分と砂時計を付加価値部分とし、ねじ込み式により接合させることを特徴とする脱着式印鑑。
【請求項５】
印鑑部分と防犯ブザーを付加価値部分とし、ねじ込み式により接合させることを特徴とする脱着式印鑑。
【考案の詳細な説明】
【技術分野】
【０００１】  この発明は、印鑑の形状に関する。
【背景技術】
【０００２】  従来の印鑑の形状は、図７に示すように、一本の材質で成り立っており機能としては印影の捺印のみである。
【考案の開示】
【考案が解決しようとする課題】
【０００３】しかしながら、以上の技術によれば、印鑑に捺印以外の用途はなく、印鑑の側面にデザインをつけるのが存在するのみであった。  そこで、この発明は、印影を捺印するだけでなく、印影以外の部分を利用し、新たに機能を持たせ、さらに脱着式にすることにより、複数の機能を選択できるようになり、また、印影部分を交換することもできるので、自分スタイルを主張できる価値ある印鑑を提供することを課題とする。
【課題を解決するための手段】
【０００４】  以上の課題を解決するために、第一発明は、印影部分と機能性を持たせる胴体部分を分離し、胴体にＵＳＢを付け、ねじ込み式により脱着できることを特徴とする印鑑である。
また、第二発明は、胴体部分にＬＥＤライトをつけ、ねじ込み式により脱着できることを特徴とする印鑑である。
また、第三発明は、胴体部分はフレグランスを詰替えできるケースにし、そのケースに香りを発散させるための小穴を開け、ねじ込み式により脱着できることを特徴とする印鑑である。
また、第四発明は、胴体部分に砂時計をつけ、ねじ込み式により脱着できることを特徴とする印鑑である。
また、第五発明は、胴体部分に防犯ブザーをつけ、携帯できるようにブザー作動キーにストラップをつけ、ねじ込み式により脱着できることを特徴とする印鑑である。
【考案の効果】
【０００５】  第一発明、第二、第三、第四発明または第五発明によれば、印影はそのままに、胴体部分を入れ替えることが可能であり、逆に胴体部分をそのままに、印影を入れ替えることが可能になります。いろいろな組み合わせができるので、個性があり自分スタイルを主張できる価値ある印鑑にすることができる。
【考案を実施するための最良の形態】
【０００６】  この発明の一実施形態を、図１に示す。
脱着式印鑑の図１は、印鑑部１及び印影２を基本部分とし、ねじ込み部４を使いＵＳＢ本体３及びキャップ５を印影部１にねじ込むことにより一体化している印鑑である。【０００７】「実施形態の効果」
この実施形態によれば、印鑑自体の用途である捺印以外に、現代のコンピューター社会の必需品であるＵＳＢを取り付けることができ、印鑑としての付加価値を高めることが出来ます。【０００８】「他の実施形態」
図１の実施形態では、印鑑以外の付加価値部分はＵＳＢとなっていますが、他の実施形態では、印鑑部分はそのままに付加価値部分をＬＥＤライト６、フレグランス入れ９、砂時計１３、防犯ブザー１４などの多様な脱着可能な製品に取り替えたものでも良い。
【図面の簡単な説明】
【０００９】
【図１】この発明の一実施形態を示すＵＳＢ印鑑の斜視図である。
【図２】ＬＥＤライト付き印鑑を示す斜視図である。
【図３】フレグランス入れ印鑑を示す斜視図である。
【図４】フレグランス入れ印鑑を示す断面図である。
【図５】砂時計付き印鑑を示す斜視図である。
【図６】防犯ブザー付き印鑑を示す斜視図である。
【図７】従来の印鑑を示す側面図である。
【符号の説明】
【００１０】    １  印鑑部本体              ２  印影
３  ＵＳＢ本体              ４  ねじ込み部
５  キャップ                ６  ＬＥＤライト本体
７  ＬＥＤ発光部            ８  ＯＮ・ＯＦＦボタン
９  フレグランス入れ      １０  香り放出穴
１１  キャップ              １２  フレグランス浸透スポンジ
１３  砂時計本体            １４  防犯ブザー本体
１５  作動キー              １６  携帯ストラップ
【図１】
0003156091.tif 000003
【図２】
0003156091.tif 000004
【図３】
0003156091.tif 000005
【図４】
0003156091.tif 000006
【図５】
0003156091.tif 000007
【図６】
0003156091.tif 000008
【図７】
0003156091.tif 000009
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
印鑑を印影部分とパソコン用のＵＳＢコネクタ付補助記憶装置を埋め込んだ本体部分からなる付加価値部分とに分け、ねじ込み式により接合させることを特徴とする脱着式印鑑。
【請求項２】
印鑑を印影部分とＬＥＤライトを埋め込んだ本体部分からなる付加価値部分とに分け、ねじ込み式により接合させることを特徴とする脱着式印鑑。
【請求項３】
印鑑を印影部分とフレグランス入れを埋め込んだ本体部分からなる付加価値部分とに分け、ねじ込み式により接合させることを特徴とする脱着式印鑑。
【請求項４】
印鑑を印影部分と砂時計を埋め込んだ本体部分からなる付加価値部分とに分け、ねじ込み式により接合させることを特徴とする脱着式印鑑。
【請求項５】
印鑑を印影部分と防犯ブザーを埋め込んだ本体部分からなる付加価値部分とに分け、ねじ込み式により接合させることを特徴とする脱着式印鑑。
(57)【要約】      （修正有）【課題】歯科用咬合器インサイザルピンをとして用いられる、歯列全体を見渡せるクリスタルピンを提供する。【解決手段】正四角柱型アクリル透明板の正四角面にネジ加工したステンレス製のピンをネジで固定し、反対側の正四角面に同じくネジ加工した円すい型ステンレス製の部品をネジで固定した。【選択図】図１
0003156100.tif 000002
【実用新案登録請求の範囲】
【請求項１】
アクリル透明板本体の上部にネジ加工したステンレス製のピンと下部にネジ加工とテーパー型のステンレス製の部品３つが一体となった物。透明板なので見易さを特徴とするクリスタルピン
【考案の詳細な説明】
【技術分野】
【０００１】  本考案は、歯科用咬合器のインサイザルピンを透明にし、見易くしたものである。
【背景技術】
【０００２】既存のインサイザルピンを使用していた。
【考案の開示】
【考案が解決しようとする課題】
【０００３】  既存のインサイザルピンだと正中が見ずらく時折外していた為、労働的負担である。又、外す事により咬合口径の正確差が分かりにくく非常に苦労していた。そこでインサイザルピンを透明にすることで、前述の欠点を解決しようとするものである。【０００４】  本考案は、透明アクリル板の上部にネジと滑り止め加工したステンレス製のピンを付け咬合器にしっかり固定でき、下部もネジ加工にテーパー型ステンレス製の部品により擦り減り防止と正確な位置が保たれ前方が見易くすることにより問題点を解決している。
【考案の効果】
【０００５】  上述の様に、本考案のクリスタルピンは咬合口径の正確さは勿論、透明な為、正中を含み歯列全体が見渡せる。
【考案を実施するための最良の形態】
【０００６】歯科用咬合器に付いている既存のインサイザルピンを外し、クリスタルピンに取り換えて使用する。透明アクリル板が正四角柱で出来ている為、２面が傷等で見づらくなると９０度回転させて使用することが可能である、又、ネジ加工してある為、透明アクリル板のみ取り換えが可能である。
【実施例】
【０００７】  以下、添付図面に従って一実施例を説明する。１はネジと滑り止め加工したステンレスピン、２は正四角柱の透明アクリル板、３はネジ加工したテーパー型のステンレス部品。【０００８】本考案の一実施例は上述の如き構成からなるものであるから、透明アクリル板上部、下部のネジは緩む事無くしっかり締めた状態で使用する。
【図面の簡単な説明】
【０００９】
【図１】本考案のクリスタルピン本体を示す正面図と側面図である。
【図２】クリスタルピンの取り付け位置と歯科用咬合器の図面である。
【符号の説明】
【００１０】１  ネジと滑り止め加工したステンレスピン
２  正四角柱透明アクリル板
３  ネジ加工したテーパー型のステンレス部品
【図１】
0003156100.tif 000003
【図２】
0003156100.tif 000004
【手続補正書】
【提出日】平成21年9月16日(2009.9.16)
【手続補正１】
【補正対象書類名】実用新案登録請求の範囲
【補正対象項目名】全文
【補正方法】変更
【補正の内容】
【実用新案登録請求の範囲】
【請求項１】
正四角柱型アクリル透明板の正四角面にネジ加工したステンレス製のピンをネジで固定し、反対側の正四角面に同じくネジ加工した円すい型ステンレス製の部品をネジで固定した、３つの部品が一体と成った透明であるクリスタルピン
(57)【要約】      （修正有）【課題】インフレータブルボートの空気抜けを心配することなく万が一、衝撃により破損または傷が出来た場合も空気もれによる浮力低下や沈没の心配もなく、事故を回避するインフレータブルボートを提供する。【解決手段】製造過程や完成後のインフレータブルボートの本体チューブ(気室)に発泡ウレタン剤を注入、硬化させることで強度が増すとともに外傷などにより傷口が出来た場合でも空気抜けという危険から開放され浮力の低下しない艇体を実現できる。【選択図】図１
0003156062.tif 000002
【実用新案登録請求の範囲】
【請求項１】
空気注入により膨張させ使用するインフレータブルボートの艇体を構成するチューブ状空気室に、空気の変わりに発泡ウレタン剤を注入する事で艇体を膨らまし固形化したインフレータブルボート。
【考案の詳細な説明】
【技術分野】
【０００１】
本考案は、インフレータブルボートや浮き輪の本体チューブ部に空気の変わりに発泡ウレタン剤を注入し硬化させることで艇体を形成し強化する技術である。
【背景技術】
【０００２】
従来のインフレータブルボートは、時間経過とともに様々な要因で空気が抜け内圧が下がり、艇体の強度、張りが減少し、その度にポンプ等で空気を補充充填が必要である。
【０００３】
水上にて使用中に空気漏れが発生した場合は人命に関わる危険が発生する欠点があった。
【先行技術文献】
【特許文献】
【０００４】
【特許文献１】実願平５−３５３５０
【考案の概要】
【考案が解決しようとする課題】
【０００５】
インフレータブルボートの空気抜けを心配することなく万が一、衝撃により破損または傷が出来た場合も空気もれによる浮力低下や沈没の心配もなく、事故回避という前述の課題を解決するものである。
【課題を解決するための手段】
【０００６】
上記目的を達成する為に、本考案は空気注入により膨張させ使用するインフレータブルボートの艇体を構成するチューブ状空気室に、空気の変わりに発泡ウレタン剤を注入する事で艇体を膨らまし固形化する。
【考案の効果】
【０００７】
図２のように発泡剤が注入され固形化した艇体チューブの形状は、空気充填と変わらぬ
形状となり、内部の構成が気体から固体になる為、艇体硬度は著しく増加する。
【図面の簡単な説明】
【０００８】
【図１】通常のインフレータブルボートの構造図（断面図）
【図２】本体チューブ部に発泡剤を注入し硬化した状態。（断面図）
【図３】本体チューブ部の発布剤が独立発泡剤になった状態(断面図)
【考案を実施するための形態】
【０００９】
図２のように通常の連続気室発泡型でも、艇体の外見上は十分な強度を得る事ができるが、さらに図３に示すとおり、独立気室発泡型（細かい独立した気室を構成する）の発泡剤を利用する事で、万が一は艇体に破損した際などで、毛細管現象から水が混入する事を防ぐ事が出来る。
図３のように、独立発泡剤を利用した場合は、硬化した発泡剤の構造も強固な為、艇体の硬度を増すことが出来る。
【産業上の利用可能性】
【００１０】
経年変化、外傷に弱いとされるインフレータブルボート（浮き輪）の艇体（本体）が強化され、衝撃や傷に強く、さらに補修が簡単な艇体として社会に貢献できる。
【符号の説明】
【００１１】
T  艇体(本体チューブ)
A  空気
H  発泡剤注入によって出来た発泡体(硬化後)
【図１】
0003156062.tif 000003
【図２】
0003156062.tif 000004
【図３】
0003156062.tif 000005
(57)【要約】      （修正有）【課題】耐用性に優れ、歩行や運動に適した靴下を提供する。【解決手段】指袋１を有する靴下において、指袋１の表面に樹脂からなる被膜層３を形成する。靴下の指袋や付根部分を直接、被膜層で保護することに加え、足が靴の中で滑らず靴下が靴底と擦れて摩耗しないことも相まって、従来の靴下に比べ靴下の耐用性が大幅に向上する。そのため、スポーツ等において使用しても、容易に破れることはなく、繰り返し何度でも使用することができる。【選択図】図２
0003156045.tif 000002
【実用新案登録請求の範囲】
【請求項１】
指袋（１）を有する靴下において、前記指袋（１）の表面に樹脂からなる被膜層（３）を形成したことを特徴とする靴下。
【請求項２】
隣り合う指袋（１）の表面にそれぞれ被膜層（３）が形成されている請求項１記載の靴下において、当該指袋（１）の付根部分に跨って被膜層（３）が連続して設けてあることを特徴とする靴下。
【考案の詳細な説明】
【技術分野】
【０００１】
本考案は、靴下に関するものである。
【背景技術】
【０００２】
一般に靴下は、使用と共に磨耗し、やがて磨耗した部分が破損し使用できなくなってしまう。特に、スポーツ等における使用にあっては靴下の磨耗の度合いが激しく、数回程度の使用で破損してしまうこともある。そして、このような靴下の破損は、磨耗が激しい指袋で多く発生する傾向にある。
【０００３】
このような靴下の破損を防止するため、破れやすい箇所を厚く形成した靴下や特殊な繊維で編み上げる靴下も存在する。しかしながら、その耐用性は未だ不十分なものであり、より耐用性の高い靴下が求められている。
【考案の概要】
【考案が解決しようとする課題】
【０００４】
本考案は上記の課題を解決するためになされたものであり、耐用性に優れ、歩行や運動に適した靴下を提供することを目的とする。
【課題を解決するための手段】
【０００５】
上記課題を解決するため、請求項１記載の考案は、指袋を有する靴下において、指袋の表面に樹脂からなる被膜層を形成したことを特徴とする。
【０００６】
この構成によると、被膜層が靴下の指袋を保護する。また、被膜層は滑り止めの役割も果たし、足が靴の中で滑らなくなる。
【０００７】
ここで、靴下は、一般的な靴下のように指袋を一つだけ有するものであってもよいし、指袋を複数有するものであってもよい。
【０００８】
被膜層は、指袋の全体に形成するものであってもよいし、底面や側面等の指袋の一部分に形成するものであってもよい。また、指袋が複数ある場合には、全ての指袋に被膜層を形成するものであってもよいし、一部の指袋に被膜層を形成するものであってもよい。
【０００９】
請求項２記載の考案は、隣り合う指袋（１）の表面にそれぞれ被膜層（３）が形成されている請求項１記載の靴下において、当該指袋（１）の付根部分に跨って被膜層（３）が連続して設けてあることを特徴とする。
【００１０】
この構成によると、指袋だけではなくその付根部分も被膜層により保護することができる。
【００１１】
なお、靴下の形態および被膜層の形成については、上記請求項１のものと同様である。
【考案の効果】
【００１２】
本考案に係る靴下によると、靴下の指袋や付根部分を直接、被膜層で保護することに加え、足が靴の中で滑らず靴下が靴底と擦れて磨耗しないことも相まって、従来の靴下に比べ靴下の耐用性が大幅に向上している。そのため、スポーツ等において使用しても、容易に破れることはなく、繰り返し何度でも使用することができる。また、このように優れた耐用性を有しているため、靴下を長持ちさせることができ、靴下の購入費用を抑えることができる。
【００１３】
また、本考案に係る靴下は、前述のように足が靴の中で滑らないので、踏ん張る等の足裏に作用させる力を高めることができると共に、その力を効率よく地面に伝えることができ、従来の靴下を着用した場合に比べ、格段に歩行や運動がしやすくなっている。
【図面の簡単な説明】
【００１４】
【図１】本考案に係る靴下の正面図。
【図２】本考案に係る靴下の斜視図。
【考案を実施するための形態】
【００１５】
以下、本考案の実施の形態について図面を用いて説明する。図１および図２は、それぞれ本考案に係る靴下の正面図および斜視図を表す。図に示すように、靴下は靴下本体２と被膜層３とからなる。
【００１６】
靴下本体２は、一般に５本指靴下と呼ばれる靴下であり、個々の足の指が収まる５つの指袋１と筒状部４とで構成され、編み糸を足型に編成して形成される。ここで、靴下本体２の形態は、特に限定されるものではなく、例えば、一般的な靴下のように指袋１が１つのものであってもよい。また、編み糸の素材も特に限定されるものではなく、綿、ウール等の天然繊維や、ポリエステル系、アクリル系等の合成繊維等から好適なものを選択することができる。
【００１７】
被膜層３は、足の指袋１の表面に樹脂を塗布して形成する。被膜層３は、指袋１の全体に形成するものであってもよいし、指袋１の底面や側面等の一部分に形成するものであってもよい。また、指袋１が複数ある場合には、全ての指袋１に形成するものであってもよいし、一部の指袋１に形成するものであってもよい。被膜層３の厚さは、靴下の用途に応じて決定することができ、靴下の耐久性を高める場合は被膜層３を厚めに形成し、足の動きに対する追従性を高める場合には被膜層３を薄めに形成する。樹脂については、天然ゴム等の天然樹脂またはニトリルゴム、アクリルゴム、ウレタンゴム、シリコーンゴム若しくは塩化ビニル樹脂等の合成樹脂から好適なものを選択することができる。なお、被膜層3は、指袋１だけではなく、隣り合う指袋１の付根部分に跨って連続的に形成するものであってもよい。
【００１８】
以上に示した実施の形態の使用については、一般的な靴下と同様の使用方法により使用することができる。本考案に係る靴下は、破れやすい指袋１やその付根部分を直接、被膜層３で保護しており、また被膜層３を設けたことにより足が靴の中で滑らず靴下が靴底と擦れて磨耗しないので、従来の靴下に比べ、指袋１の耐用性が格段に向上している。そして、スポーツ等の激しい運動において使用しても容易に破れることはなく、繰り返し何度でも使用することができる。また、非常に丈夫な靴下であるため、靴下を長持ちさせることができ、靴下の購入費用を抑えることができる。
また、被膜層３を付根部分にも形成した靴下は、指袋１の付根部分の耐久性も向上することとなる。
【００１９】
さらに、本考案に係る靴下は前述のように足が靴内で滑らないので、踏ん張る等の足裏に作用させる力を高めることができると共に、その力を効率よく地面に伝えることができる。そのため、一般的な靴下に比べ、格段に歩行や運動がしやすくなっている。また、靴下の指袋１が複数の場合には、より足裏に作用させる力を高めることができるので、前記効果がさらに向上することなる。
【００２０】
なお、本考案の他の実施形態としては、靴下本体２の底面または踵の部分に被膜層３を形成したもの、または靴下本体２の先端部分、底面および踵部分において、その全範囲または好適な範囲に被膜層３を形成したものが挙げられる。
【符号の説明】
【００２１】
１…指袋、２…靴下本体、３…被膜層、４…筒状部
【図１】
0003156045.tif 000003
【図２】
0003156045.tif 000004
(57)【要約】      （修正有）【課題】医師または医師の処方箋で薬局より渡された、幾種類もの薬を毎日服用している方達が毎日、毎回、経験して居られる、その時に飲む薬の薬袋を選び出す、煩わしい手間を省き、誰でも一目で簡単に多種類の中から目的の薬袋を選び出すことの出来る薬袋を提供する。【解決手段】薬袋のよく目につく位置によく目につく面積で帯状のスペースをとり、その中に設定した、朝は黄色、昼はブルー色、夕方はオレンジ色、夜は黒色の４つの色を単色又はその色を組み合わせて着色し、黄色の面には朝のおくすり、ブルー色の面には昼のおくすり、オレンジ色の面には夕方のおくすり、黒色の面には夜のおくすり、と記載した。【選択図】図１
0003156007.tif 000002
【実用新案登録請求の範囲】
【請求項１】
薬袋のよく目に付く位置に、よく目に付く面積で帯状のスペースをとり、その中に設定した、朝は黄色、昼はブルー色、夕方はオレンジ色、夜は黒色、の４つの色を単色またはその組み合わせで着色し、黄色の面には朝のおくすりです、ブルー色の面には昼のおくすりです、オレンジ色の面には夕方のおくすりです、黒色の面には夜のおくすりです、と記載された薬袋。
【考案の詳細な説明】
【技術分野】
【０００１】
本考案は薬袋に関するものであり、薬袋の表面に工夫を加える事によって、探したい薬袋を、一目で簡単にみつけられるようにしたものである。
【背景技術】
【０００２】
従来からの薬袋は、単にその薬袋に入っている薬の取扱の注意事項と社名が印刷と記入されているだけだった。
【考案の概要】
【考案が解決しようとする課題】
【０００３】
従来のような薬袋では毎日、何種類もの薬を、朝、昼、夕、夜、と選んで服用するのは大層手間のかかる作業である、この手間の掛る作業を一瞬に解決することを、課題とする。
【課題を解決するための手段】
【０００４】
この課題を解決するための請求項１の考案は、薬袋の一部に着色したスペースを設けた事を特徴とする、このスペースに、黄色、ブルー色、オレンジ色、黒色の基本とした４色を使いわけで、探したい薬袋をこの色により一目で取り出す事ができ色の表面には、例  黄色面には朝のおくすりですと４色共それぞれ色によって記載し再確認もできる薬袋である。
【考案の効果】
【０００５】
上述のように、本考案は４色の色で朝、昼、夕、夜を表現し、各色の表面には、それぞれ色によって４色すべてに朝、昼、夕、夜、の文字も記載してあり必要な時に多種類ある薬袋の中より目的の薬袋をだれでも一目で簡単に取り出すことができる薬袋。
【図面の簡単な説明】
【０００６】
【図１】本考案の薬袋の実施例を示す正面図である。色は朝、昼、夕、に服薬する袋であることを指示している。
【図２】本考案の薬袋の背面図である。
【考案を実施するための形態】
【０００７】
薬袋のよく目につく位置に、よく目につく面積で、帯状のスペースをとり、その中に設定した、黄色の区画は、朝に飲む薬であることを知らせ、ブルー色の区画は、昼に飲む薬であることを知らせ、オレンジ色の区画は、夕方に飲む薬であることをしらせ、黒色の区画は、夜に飲む薬であることを知らせている。
図１は薬袋５の表側に黄色の面１、ブルーの面２、オレンジの面３が着色されている、黄色の面には、朝のおくすりです、ブルー色の面には昼のおくすりです、オレンジ色の面には夕のおくすりです、と記載されている。
【符号の説明】
【０００８】
１  黄色で着色された区画で、朝に飲む薬であることを知らせる。
２  ブルー色で着色された区画で、昼に飲む薬であることをしらせる。
３  オレンジ色で着色された区画で、夕方に飲む薬であることをしらせる
４  黒色で着色された区画で、夜に飲む薬であることをしらせる。
５  紙の薬袋。
【図１】
0003156007.tif 000003
【図２】
0003156007.tif 000004
(57)【要約】      （修正有）【課題】肌着等の柔軟性を有する商品を展示販売する際に、特に台紙等の挿入物を使用することなく当該商品を、型崩れ等外見を悪くするような状況の生ずるのを防止することによって廃棄物の生ずるのを無くし、かつ、販売のために陳列した商品に対する例えば針刺しなどの悪戯を容易に発見出来るようにした肌着等衣料品包装用部材を提供する。【解決手段】台紙を使用することなく折り畳んでなる被包装品である肌着等の衣料品６より少し大きいか、或は同等の大きさの柔軟な袋体２であって、前記衣料品を袋体内に挿入した後、袋体の開口縁５をヒートシール４，７すると共に袋体２に内在する空気を抜いてなるものとした。【選択図】図１
0003156008.tif 000002
【実用新案登録請求の範囲】
【請求項１】
台紙を使用することなく折り畳んでなる被包装品である肌着等の衣料品より少し大きいか、或は同等の大きさの柔軟な袋体であって、前記衣料品を袋体内に挿入した後、袋体の開口縁をヒートシールすると共に袋体に内在する空気を抜いてなる、衣料品等包装用部材。 
【考案の詳細な説明】
【技術分野】
【０００１】
本考案は、商品を展示販売する際に店頭で商品への悪意のある悪戯などがあったときの為、悪戯の発見が可能であり、展示の際に商品を良く見せようとするための商品へ添える台紙やピンなどの使用をすることなくディスプレイ出来る包装用部材に関する。
【背景技術】
【０００２】
一般に肌着，ストッキング等の衣料品を展示販売する際には、展示商品に型崩れが生じないよう型紙を当てがい商品を保護するために保護部材を商品に添える（特許文献１参照）などし、更にはそれを箱等に入れるなどするため、製品の用途とは全く関係のない用材が必要となる例が多く見られ、これらを廃棄するための作業も必要となった。
【０００３】
また近時、展示包装商品に対して、悪戯をするために、例えば衣料品・寝具などの包装品に対して外部から針などを挿し通すような悪意のある行動がなされるという事態が発生している。
【先行技術文献】
【特許文献】
【０００４】
【特許文献１】特開平５−１３９４７３号公報
【考案の概要】
【考案が解決しようとする課題】
【０００５】
本考案は上記の点に鑑みて、肌着等の柔軟性を有する商品を展示販売する際に、特に商品を良く見せるために使用する台紙等の挿入物を使用することなく、型崩れ等外見を悪くするような状況の生ずるのを防止することによって廃棄物の生ずるのを無くし、かつ、販売のために陳列した商品に対する例えば針刺しなどの悪戯を容易に発見出来るようにした肌着等衣料品包装用部材を得ることを目的としている。
【課題を解決するための手段】
【０００６】
本考案の衣料品等包装用部材は、台紙を使用することなく折り畳んでなる被包装品である肌着等の衣料品より少し大きいか、或は同等の大きさの柔軟な袋体であって、前記衣料品を袋体内に挿入した後、袋体の開口縁をヒートシールすると共に袋体に内在する空気を抜いてなるものとした。
【考案の効果】
【０００７】
本考案の肌着等衣料品包装用部材は、商品包装時に、商品を入れた袋体内の空気を抜いているために、袋内の商品は、例えば商品に存在する空間内の空気が吸引され除かれるため、商品全体としてみると商品はあたかも固まったような状態で生地同士がが接しているために、台紙等の副資材を使用せずとも商品は袋内で妄りに動くことが出来ず、型崩れ等姿が乱れる状態が生ずるのを防止することが可能となり、商品へ台紙を当てがうようなことをする必要がなく、廃棄物を出すことがなくなり環境負荷を抑えることになる。
【０００８】
また、展示されている際は上記の固定状態のために、もし悪戯で袋に針などを刺し込んだりしたような場合には、その部分から袋内に空気が入り袋の形状が直ちに変化するために袋が傷を受けたことを直ちに知ることが出来、製品の安全性を確保できる。
【図面の簡単な説明】
【０００９】
【図１】袋内に肌着を入れ密閉した状態の肌着等衣料品包装用部材の正面図。
【考案を実施するための形態】
【００１０】
本考案を実施するための形態を図面と共に次に説明する。
本考案の衣料品等包装用部材１は、柔軟な熱融着性を有する合成樹脂シートを用いた袋体２よりなる。袋体２はポリエステル，ポリプロピレンなど空気を通さない合成樹脂であれば特に限定しないが、フィルム厚さ４０μｍ以上が耐久性のためには必要である。
【００１１】
袋体２は、筒状の合成樹脂シートを所定長さに引き出し切断すると共に切断端縁３を溶着４し袋体２とすると共に切断端縁３に開口縁５を作る。そして開口縁５から袋体２内に衣料品等６を挿入し、開口縁５から袋体２内の空気を図示しない吸引装置で吸引し、かつ開口縁５を溶着等適宜手段７で閉じる。
【００１２】
袋体２の内部の空気を吸引された包装用部材１は、その内部に置かれた衣料品等６は当初に折り畳まれた形状のままあたかも固化した状態にいわば板状を呈しており袋体内においてその型が崩れ或は乱れるようなことがなく、同じ形態を保っている。
【００１３】
そして故意に針などを商品に紛れ込ませようとする者が袋体２に針などを刺し通した場合などには、針を通すことによって作られた袋体の針孔から陰圧である袋体２内に外気が入り込むことで袋体２による衣料品等６への圧迫が無くなり包装されている衣料品等６にゆるみが生じ、一見して袋体２の外観が変化したことが判明する。
この事象により第三者は商品の異常を直ちに知ることが出来る。
【符号の説明】
【００１４】
１  衣料品等包装用部材
２  袋体
３  切断端縁
４，７  溶着
５  開口縁
６  衣料品等 
【図１】
0003156008.tif 000003
(57)【要約】      （修正有）【課題】成形金型費などのイニシャル費を軽減でき、しかも、振動吸収性能を向上させることが可能なマイクホルダを提供する。【解決手段】スピーカおよびマイクを同一筐体に実装する装置に装着してマイク１を保持するマイクホルダであって、マイクまたはマイクを含むマイクユニットを包み込んで非固定的に保持してスピーカからの振動伝播を防止する発泡材２，３を有し、前記発泡材は前記マイクが集音する音が通過する多孔体として構成する。【選択図】図１
0003156010.tif 000002
【実用新案登録請求の範囲】
【請求項１】
スピーカおよびマイクを同一筐体に実装する装置に装着してマイクを保持するマイクホルダであって、
マイクまたはマイクを含むマイクユニットを包み込んで非固定的に保持してスピーカからの振動伝播を防止する発泡材を有し、前記発泡材は前記マイクが集音する音が通過する多孔体であることを特徴とする振動伝播防止機能を有するマイクホルダ。
【考案の詳細な説明】
【技術分野】
【０００１】
本考案は、マイクとスピーカを同一の筐体に実装する装置に適したマイクホルダに関する。
【背景技術】
【０００２】
従来、マイクとスピーカが同一の筐体に装着される装置においては、スピーカから振動伝播を防止するために、マイクまたはマイクユニットをゴム製のホルダに入れて、スピーカからの振動が基板などを通して直接にマイクに伝播するのを防ぐのが一般的であった（例えば特許文献１）。
【先行技術文献】
【特許文献】
【０００３】
【特許文献１】特開２００２−３５４５６８号公報
【考案の概要】
【考案が解決しようとする課題】
【０００４】
しかしながら、前記ゴム製のホルダを製作するには成形金型費などのイニシャル費用が多く掛かるため開発費の負担が大きかった。
また、一般的に硬度が低く柔らかいほど振動吸収性能が上がるとされているが、ゴム成形品の場合は成形材料の硬度が低すぎると形が形成できないという成形上の都合があるため、選択できるゴムの硬度に制限があり、選択できるゴムの振動吸収性能が不十分である場合があった。
更に、ゴムは通音性が悪いのでマイクの集音部位 (集音を行う穴が開いた部分)を保護できないため、外部からのホコリや異物などに対して無防備となる欠点があった。
【０００５】
そこで、本考案の課題は、成形金型費などのイニシャル費を軽減でき、しかも、振動吸収性能を向上させることが可能なマイクホルダを提供する。
【課題を解決するための手段】
【０００６】
上記の課題を解決するために、本考案は、スピーカおよびマイクを同一筐体に実装する装置に装着してマイクを保持するマイクホルダであって、マイクまたはマイクを含むマイクユニットを包み込んで非固定的に保持してスピーカからの振動伝播を防止する発泡材を有し、前記発泡材は前記マイクが集音する音が通過する多孔体であることを特徴とする。
【考案の効果】
【０００７】
本考案によれば、成形金型が不要な発泡材でマイクを保持するのでゴム製に比べて成形金型の開発に係るイニシャル費を削減できる。
また、発泡材の硬度選択に制限が無いため、ゴムよりも柔らかく振動吸収性に優れるものを選択できるため、従来よりも前記集音部品に対する振動の伝播が防止できる。
更に、発泡材は発泡密度によっては通音に充分な穴が開いているため通音性が良いので、前記集音部品の集音機能部も覆うことができ、異物などの干渉から前記集音部品を保護できる。
【図面の簡単な説明】
【０００８】
【図１】本考案による一実施例を基板に実装した構成を示す断面図である。
【図２】本考案によるマイクをホルダにユニットする実施形態図である。
【図３】従来構造の一実施例を示す断面図である。
【考案を実施するための形態】
【０００９】
以下、図面を参照して本考案の実施の形態について詳細を説明する。
図１は本考案による一実施例の構成を示す断面である。
１は集音部品(以下マイク部品と称する場合もある)、２は発泡材Ａ、３は発泡材Ｂである（発泡材Ａと発泡材Ｂは発泡密度が違う）。マイク部品１は発泡材Ａ２にて基板１０に固定される。基板１０を伝わってくる振動は発泡材Ａ２、発泡材Ｂ３によって吸収され、マイク部品１には伝播しない。
マイクケーブル４は基板１０上のコネクタに差し込まれる。
【００１０】
図２は本考案によるマイクをホルダに組み込む実施形態図である。尚、発泡材Ａ２と発泡材Ｂ３は予めアッセンブリされており、その後にマイク部品１を組み込む。
【００１１】
図３は従来のゴム製マイクホルダをもつ一実施例の全体構成を示す断面である。
２２は従来のゴム製マイクホルダである。ゴムは通音性が悪いため、マイク部品２１の正面を覆うことができないので、従来の構造ではＢ方向に対して保護されない構造となっていた。
【実施例１】
【００１２】
そこで、本考案による一実施例を説明する。
図１は発泡材によって集音部品(マイク部品１)を包み込んだ実例構成を示す。振動体(スピーカ部品)からの振動が基板１０を伝ってマイク部品１に伝わることを発泡材Ａ２と発泡材Ｂ３にて前記マイク部品１を囲うことにより防ぐ。
また、マイク部品１の正面を発泡密度の低く通音性の良い発泡材Ｂ３によって覆うことにより、通音性を確保したままＡ方向からの干渉に対してマイク部品１を保護できる。
なお、図１においては、発泡材Ａ２と発泡材Ｂ３を別部材の構造としたが、本考案はこれに限定するものではなく、例えば、発泡材Ａ２と発泡材Ｂ３は同一部材による一体構造としてもよい。
【符号の説明】
【００１３】
１        マイク部品
２        発泡材Ａ
３        発泡材Ｂ
４        マイクケーブル
１０      基板
２１      マイク部品
２２      従来のゴム製マイクホルダ
２３      マイクケーブル
２４      基板
【図１】
0003156010.tif 000003
【図２】
0003156010.tif 000004
【図３】
0003156010.tif 000005
(57)【要約】      （修正有）【課題】つぼ状容器の側面に複数の流出孔をあけ、水及び、水に溶け込んだ肥料が少しずつ流れ出る構造とすることで、水やり、追肥を簡単・確実に実施できる植物栽培促進具を提供する。【解決の手段】上方が開放された、つぼ状の容器で、容器の高さの底部から３分の１の側面に、複数の流出孔２を設け、流出孔のところまで固形の肥料５を入れておき、容器を土に埋め、その周りに、複数の植物苗を植えた後、容器に水を注ぐと、固形の肥料が水に溶けて液体状の肥料が複数の流出孔から流れ出ることにより、これら植物苗に一括して、水と溶かした肥料を供給する。【選択図】図３
0003156037.tif 000002
【実用新案登録請求の範囲】
【請求項１】
上方が開放された、つぼ状の容器で、容器の高さの底部から３分の１の側面に、複数の流出孔を設け、流出孔のところまで固形の肥料を入れておき、容器を土に埋め、その周りに、複数の植物苗を植えた後、容器に水を注ぐと、固形の肥料が水に溶けて液体状の肥料が複数の流出孔から流れ出ることにより、これら植物苗に一括して、水と溶かした肥料を供給出来る事を特徴とする植物栽培促進具。
【請求項２】
前記容器を、紙又は植物繊維で構成することで、年月がたつと生分解性して容器を土に還元させることを特徴とする請求項１記載の植物栽培促進具。
【請求項３】
前記流出孔を容器の底部から少し上に設けることで、容器の底部に少量の水が溜まり、流出孔のところまで入れた固形の粒状の化成肥料が、次の水の供給までの滞留時間の間に、水に溶けて液状に成るようにしたことを特徴とする請求項１又は請求項２に記載の植物栽培促進具。
【請求項４】
前記流出孔の外面を大きく面取りをする事で、土や植物苗の根による、流出孔の孔詰まりを防ぐことを特徴とする請求項１から請求項３の何れかに記載の植物栽培促進具。
【考案の詳細な説明】
【技術分野】
【０００１】
本考案は、特に家庭菜園当に於ける野菜栽培で、手軽に誰にでも失敗することなく野菜作りが出来る様にする上では、水やり、追肥を簡単確実に供給できる植物栽培促進具に関する。
【背景技術】
【０００２】
今日の植物栽培では、基本である水、及び肥料の供給方法に進歩が見られず、地表に水を掛ける、地表に肥料をばら撒く等が一般的であり、それが効果的とは言えない、更には野菜苗の１本毎に、水、肥料を施すので、手間隙が掛かるのは、避けられなかった。
【先行技術文献】
【特許文献】
【０００３】
【特許文献１】特開２００４−３５７５８５号公報
【特許文献２】特開２００３−１０２２７９号公報
【特許文献３】特開２００７−５０２１０７号公報
【考案の概要】
【考案が解決しようとする課題】
【０００４】
現在の野菜栽培では、野菜苗をある間隔で１本ずつ植え付ける方法が、一般的であるが、植物栽培での水と肥料の供給方法に次のような課題がある。
１）野菜苗への水遣りが集中化され、簡素化できる。
２）追肥が簡単に出来るので、野菜の種類に応じた時期と量の対応が出来る。
３）栽培促進具の外周に放射状に植えこむことで、栽培面積を小さく出来る更に、複数本植えられる。
４）水、肥料を効率良く、地中で供給できる。
５）追肥に因る肥料枯れを起こしにくく成る。
６）畑栽培以外の、栽培鉢でも、効果が大である。
【課題を解決するための手段】
【０００５】
本考案では、つぼ状容器の側面に複数の流出孔をあけ、水及び、水に溶け込んだ肥料が少しずつ流れ出る構造の植物栽培促進具である。この植物栽培促進具を畑及び鉢の土の表面に埋め込むことで、地中から水、肥料の供給が可能と成り、更に水、肥料が植物栽培促進具の外周に平均的に供給される。又、肥料に就いても、供給具側面の流出孔から，ゆっくり、供給され、肥料枯れの発生を、抑える事が出来る、更に栽培器の外周に苗の植え込みが出来るので、これまでの栽培方式に比較すれば数倍の栽培面積の有効利用となる。
【考案の効果】
【０００６】
本考案により、植物苗を植物栽培促進具の外周辺に植え込むことにより、一般的な、これまでの畑に対する植え付けと比較すれば、３〜４倍の畑スペースで小さく植え込みが出来、そして水遣りも栽培具に注げば一度に３〜４本の苗に供給できる、水の省力と、水遣り時間の短縮にも成る、更に、つぼ状の栽培具の底部分に、化成肥料を落としこんでおく事で、栽培器の底に僅かに水が溜まるように成る事が、肥料が水に溶け、次回の水遣りの時に排水する流出孔から、液状になった肥料が水と一緒に撒かれることになり、小量ずつ出る液体肥料が、植物の苗を枯らすことが無くなる。
【図面の簡単な説明】
【０００７】
【図１】植物栽培促進具の構成
【図２】植物栽培促進具の周囲に植物を植え込んだ概観図
【図３】植物栽培促進具を土にセットした概観図
【考案を実施するための形態】
【０００８】
以下、図１〜３で実施例を説明する。
本考案の植物栽培促進具は図１に示すように、つぼ状容器に、容器の底部分から３分の１位の位置に排出用の複数の流出孔２を明けており、上方から水を入れて、その水と水に溶け込む肥料を、少量ずついる排出する機能を有する。
植物栽培促進具は、つぼ状の形態をした底部で、上は筒の形状をしておく事で、広い口である為、水が注ぎやすく、つぼ状の底で肥料が中心部に溜まり易く、排水の流出孔を少し底から上に上がった位置に明けることにより水が、少量容器の底の部分に溜まり、そこへ化成肥料を落とし込んでおくと次回の水遣りまでに肥料が水に溶けて、水と水に溶け込んだ肥料が流出孔から少しずつ流れ出る。流出孔の外面を大きく面取りをする事で、土や植物苗の根による、流出孔の孔詰まりを防ぐことができる。
つぼ状の容器の材質として，陶器、樹脂、紙又は植物繊維等が考えられる。容器を紙又は植物繊維で構成すると、年月がたつと生分解し容器が土にとけて還元するので環境によい。
【０００９】
本考案の植物栽培促進具の使用例を図２で示す。
図２は、栽培器を地中へ埋め込んだ状態で、栽培具の土の上に出ている部分の外周に放射状に野菜の種類により異なるが複数本苗を植え付ける、野菜は成長するに従って隣の野菜との接触を避けようと、自然に外周に張り出すように成長して行きます。
【００１０】
本考案の植物栽培促進具の機能を図３で説明する。
図３は埋め込んだ状態の断面図で植物栽培促進具の底に、肥料５その上に、水６が入り、流出孔２から水と肥料が流れ出て、野菜の根の部分に直接供給される。
【産業上の利用可能性】
【００１１】
この考案は、植物栽培に於いて、水、肥料の供給を、土の中で供給出来るようにしたもので、植物の成長の過程で、肥料の必要なときに、必要なだけ簡単に与える事が出来るので、野菜の成長を早め、収穫量も多くなり、小さな面積に複数本野菜苗の植え付けが出来、これまでと比較して小さい場所に多数植え付けられるので、特に家庭菜園に於いての野菜作りの面白さを倍加させる。
【符号の説明】
【００１２】
１     栽培促進容具
２     流出孔
３     畑の土
４     苗木
５     肥料
６     水
【図１】
0003156037.tif 000003
【図２】
0003156037.tif 000004
【図３】
0003156037.tif 000005